(57)【要約】【課題】比較的に大規模な治具を用いることなく、端子と電線とを接続する。【解決手段】電線１１と接触する接触面２１Ａ，２１Ｂを有すると共に、延び方向に沿って延びる変形可能な接続片を備えた端子本体１５と、延び方向に沿って端子本体１５に対して移動可能なスライド部１６と、を備えた端子であって、スライド部１６は、接続片の接触面２１Ａ，２１Ｂ側に電線１１が延び方向に沿って配された状態で、接触面２１Ａ，２１Ｂと反対側から接続片に当接して接続片を電線１１に押圧する当接部を有し、スライド部１６は、延び方向に延びる筒状をなすとともに、接続片が設けられた領域に外嵌しており、当接部は、スライド部１６の内面から内方に突出して形成されており、スライド部１６が当接位置にスライド移動したときに、当接部が接続片と当接する端子。【選択図】図２
2020074346.tif 000002
【特許請求の範囲】
【請求項１】
電線と接触する接触面を有すると共に、延び方向に沿って延びる変形可能な接続片を備えた端子本体と、
前記延び方向に沿って前記端子本体に対して移動可能なスライド部と、を備えた端子であって、
前記スライド部は、前記接続片の前記接触面側に前記電線が前記延び方向に沿って配された状態で、前記接触面と反対側から前記接続片に当接して前記接続片を前記電線に押圧する当接部を有し、
前記スライド部は、前記延び方向に延びる筒状をなすとともに、前記接続片が設けられた領域に外嵌しており、
前記当接部は、前記スライド部の内面から内方に突出して形成されており、
前記スライド部が当接位置にスライド移動したときに、前記当接部が前記接続片と当接する端子。
【請求項２】
前記スライド部は、前記当接位置と、前記当接部が前記接続片と離間する離間位置と、の間を移動可能である請求項１に記載の端子。
【請求項３】
前記端子本体及び前記スライド部の一方には離間位置係止部が設けられ、他方には離間位置係止受け部が設けられ、前記離間位置係止部と前記離間位置係止受け部とが係止することにより、前記スライド部が前記離間位置に保持されるようになっており、
前記端子本体及び前記スライド部の一方には当接位置係止部が設けられ、他方には当接位置係止受け部が設けられ、前記当接位置係止部と前記当接位置係止受け部とが係止することにより、前記スライド部が前記当接位置に保持されるようになっている請求項２に記載の端子。
【請求項４】
前記スライド部の前記延び方向の後端部寄りの位置には、前記延び方向について前方に向かうに従って幅狭になると共に、前記電線と摺接することにより前記電線を前記スライド部の内部へと案内する誘い込み部を有する請求項１から請求項３のいずれか一項に記載の端子。
【請求項５】
前記スライド部には外方に突出する治具当接部が設けられており、前記治具当接部が治具により前記延び方向について後方から押圧されることにより、前記スライド部が前記延び方向について前方にスライドするようになっている請求項１から請求項４のいずれか一項に記載の端子。
【請求項６】
前記接続片は、前記接触面から突出する保持突部を有し、
前記保持突部は、前記電線に当接することにより、前記電線を前記延び方向と交差する方向に屈曲した状態に保持する請求項１から請求項５のいずれか一項に記載の端子。
【請求項７】
前記接触面には、前記接続片が前記電線に加圧された状態で前記電線の表面に食い込むセレーションが形成されている請求項１から請求項６のいずれか一項に記載の端子。
【請求項８】
前記セレーションは、前記延び方向と直交する方向に延びる溝状に形成されると共に、前記延び方向に間隔を空けて並んで形成されている請求項７に記載の端子。
【請求項９】
前記接触面には、前記延び方向に沿って延びる電線ガイド凹部が形成されている請求項１から請求項８のいずれか一項に記載の端子。
【請求項１０】
前記電線は、芯線と、前記芯線の外周を覆う絶縁被覆を有し、
前記端子本体は、前記絶縁被覆を保持する保持面を有すると共に、前記延び方向に沿って延びる変形可能な保持片を備え、
前記スライド部は前記保持片に向かって突出する保持片当接部を有し、前記保持片当接部が前記保持片に当接して前記保持片を前記絶縁被覆に押圧する、請求項１から請求項９のいずれか一項に記載の端子。
【請求項１１】
前記端子本体には、前記接続片に前記電線が配された状態において、前記電線の端縁が所定位置に配されていることを検知可能な端子窓部が開口されている請求項１から請求項１０のいずれか一項に記載の端子。
【請求項１２】
請求項１から請求項１１のいずれか一項に記載の端子を収容するキャビティを有するコネクタハウジングと、
前記キャビティ内に収容された前記端子の前記延び方向について前記コネクタハウジングの後端部に取り付けられるリアホルダと、
を備えたコネクタであって、
前記リアホルダのうち前記延び方向の後端部には、前記キャビティに連通する挿通孔が開口されている、コネクタ。
【請求項１３】
前記スライド部は、前記接触面と反対側から前記接続片に当接する当接部を有し、
前記スライド部は、前記当接部が前記接続片と当接する当接位置と、前記当接部が前記接続片と離間する離間位置との間を移動可能であり、
前記リアホルダは、前記延び方向に沿って移動可能であり、
前記リアホルダの前記延び方向の前端部には、前記リアホルダが前記延び方向について後方から前方に移動する際に、前記スライド部に前記延び方向の後方から当接して前記スライド部を前記延び方向の前方に押圧することにより、前記スライド部を前記当接位置に移動させるスライド部押圧部を有する請求項１２に記載のコネクタ。
【請求項１４】
前記スライド部は、前記接触面と反対側から前記接続片に当接する当接部を有し、
前記スライド部は、前記当接部が前記接続片と当接する当接位置と、前記当接部が前記接続片と離間する離間位置との間を移動可能であり、
前記リアホルダは、前記コネクタハウジングの後端部寄りの位置に係止する仮係止位置と、前記仮係止位置よりも前記延び方向について前方の本係止位置と、の間を移動可能であり、
前記リアホルダの前記延び方向の前端部は、前記スライド部が前記当接位置にない場合には、前記スライド部と当接するようになっている請求項１２に記載のコネクタ。
【請求項１５】
前記端子本体には、前記接続片に前記電線が配された状態において、前記電線の端縁が所定位置に配されていることを検知可能な端子窓部が開口されており、
前記コネクタハウジングには、前記端子の前記端子窓部と外部とを連通するコネクタ窓部が設けられている、請求項１２から請求項１４のいずれか一項に記載のコネクタ。
【発明の詳細な説明】
【技術分野】
【０００１】
本明細書に開示された技術は、端子と電線との接続構造に関する。
【背景技術】
【０００２】
従来より、電線の端末から露出する芯線に端子が接続された端子付き電線が知られている。このような端子として、例えば、電線の端末から露出する芯線に外側から圧着する圧着部を備えるものがある。
【０００３】
上記の端子を電線に圧着するには、例えば以下のようにする。まず、金属板材をプレス加工することにより所定の形状の端子を成形する。続いて、上下方向に相対移動可能な一対の金型のうち下側に位置する下型の載置部に、端子を載置する。続いて、電線の端末から露出された芯線を、端子の圧着部に重ねて載置する。その後、一対の金型の一方又は双方を互いに接近する方向に移動させ、上型の圧着部と、下型の載置部との間で圧着部を挟み付けることにより、圧着部を電線の芯線に圧着する。以上により、電線の端末に端子が接続される（特許文献１参照）。
【先行技術文献】
【特許文献】
【０００４】
【特許文献１】特開２００５−５０７３６号公報
【発明の概要】
【発明が解決しようとする課題】
【０００５】
しかしながら上記の技術によれば、電線の芯線に端子の圧着部を圧着するための金型や治具等、比較的に大規模な設備が必要なので、設備投資が必要となり、製造コストが上昇するという問題がある。
【０００６】
本明細書に開示された技術は上記のような事情に基づいて完成されたものであって、比較的に大規模な治具を用いることなく、端子と電線とを接続することが可能な技術を提供することを目的とする。
【課題を解決するための手段】
【０００７】
本明細書に開示された技術は、電線と接触する接触面を有すると共に、延び方向に沿って延びる変形可能な接続片を備えた端子本体と、前記延び方向に沿って前記端子本体に対して移動可能なスライド部と、を備えた端子であって、前記スライド部は、前記接続片の前記接触面側に前記電線が前記延び方向に沿って配された状態で、前記接続片を前記電線に押圧する加圧部を有する。
【０００８】
上記の構成によれば、スライド部を延び方向に沿って移動させることにより、接続片を電線に押圧することができる。これにより、接続片と電線とが電気的に接続されるので、比較的に大規模な治具を用いることなく、電線と端子とを電気的に接続することができる。
【０００９】
本明細書に開示された技術の実施態様としては以下の態様が好ましい。
【００１０】
前記スライド部の前記加圧部は、前記接触面と反対側から前記接続片に当接する当接部であることが好ましい。
【００１１】
上記の構成によれば、当接部を、接続片の接触面と反対側から当接させることにより、接続片を電線に押圧することができる。
【００１２】
前記スライド部は、前記当接部が前記接続片と当接する当接位置と、前記当接部が前記接続片と離間する離間位置との間を移動可能であることが好ましい。
【００１３】
上記の構成によれば、スライド部を端子本体に対して離間位置から当接位置に移動させるという簡易な操作により、電線と端子とを電気的に接続することができる。
【００１４】
前記スライド部は前記延び方向に延びる筒状に形成されており、前記スライド部の前記延び方向の後端部寄りの位置には、前記延び方向について前方に向かうに従って幅狭になると共に、前記電線と摺接することにより前記電線を前記スライド部の内部へと案内する誘い込み部を有することが好ましい。
【００１５】
上記の構成によれば、電線を誘い込み部に摺接させることにより、筒状をなすスライド部の内部に電線を容易に挿入することができる。
【００１６】
前記スライド部には外方に突出する治具当接部が設けられており、前記治具当接部が治具により前記延び方向について後方から押圧されることにより、前記スライド部が前記延び方向について前方にスライドするようになっていることが好ましい。
【００１７】
上記の構成によれば、治具を治具当接部に当接させてスライド部を延び方向について前方に押圧することにより、電線と端子とを電気的に接続させることができる。なお、上記の治具は、金型のように比較的に大掛かりな設備を要しないので、設備投資に基づく大幅なコスト増が生じないようになっている。
【００１８】
前記接続片は、前記接触面から突出する保持突部を有し、前記保持突部は、前記電線に当接することにより、前記電線を前記延び方向と交差する方向に屈曲した状態に保持することが好ましい。
【００１９】
上記の構成によれば、保持突部によって電線が延び方向と交差する方向に屈曲した状態に保持されるので、電線に対して引っ張り力が作用した場合でも、保持突部によって引っ張り力を受けることができる。これにより、端子と電線とが強固に保持されるようになっている。
【００２０】
前記接触面には、前記接続片が前記電線に加圧された状態で前記電線の表面に食い込むセレーションが形成されていることが好ましい。
【００２１】
上記の構成によれば、セレーションが電線の表面に食い込むことにより、電線と端子との保持力が向上する。また、電線の表面に形成された絶縁性の被膜をセレーションによって剥がすことができるので、端子と電線との電気抵抗値を小さくすることができる。
【００２２】
前記セレーションは、前記延び方向と直交する方向に延びる溝状に形成されると共に、前記延び方向に間隔を空けて並んで形成されていることが好ましい。
【００２３】
上記の構成によれば、電線の延び方向の複数箇所において、セレーションによって電線を保持することができるので、電線と端子との保持力を向上させることができる。また、電線の延び方向の複数箇所において、セレーションによって電線と端子とを電気的に接続することができるので、端子と電線との電気抵抗値を小さくすることができる。
【００２４】
前記接触面には、前記延び方向に沿って延びる電線ガイド凹部が形成されていることが好ましい。
【００２５】
上記の構成によれば、電線ガイド溝に電線を添わせることにより、電線を容易に接触面に配置することができる。
【００２６】
前記電線は、芯線と、前記芯線の外周を覆う絶縁被覆を有し、前記端子本体は、前記絶縁被覆を保持する保持面を有すると共に、前記延び方向に沿って延びる変形可能な保持片を備え、前記スライド部は前記保持片に向かって突出する保持片当接部を有し、前記保持片当接部が前記保持片に当接して前記保持片を前記絶縁被覆に押圧することが好ましい。
【００２７】
上記の構成によれば、電線の絶縁被覆を保持片によって保持することができるので、電線と端子との間の保持力を一層向上させることができる。
【００２８】
前記端子本体には、前記接続片に前記電線が配された状態において、前記電線の端縁が所定位置に配されていることを検知可能な端子窓部が開口されていることが好ましい。
【００２９】
上記の構成によれば、端子窓部から電線の端縁を検知することにより、電線と端子とが接続されたか否かを容易に確認することができる。
【００３０】
前記端子本体及び前記スライド部の一方には離間位置係止部が設けられ、他方には離間位置係止受け部が設けられ、前記離間位置係止部と前記離間位置係止受け部とが係止することにより、前記スライド部が前記離間位置に保持されるようになっており、前記端子本体及び前記スライド部の一方には当接位置係止部が設けられ、他方には当接位置係止受け部が設けられ、前記当接位置係止部と前記当接位置係止受け部とが係止することにより、前記スライド部が前記当接位置に保持されるようになっていることが好ましい。
【００３１】
上記の構成によれば、スライド部に対して、端子本体を、離間位置と、当接位置の双方に、それぞれ保持することができる。
【００３２】
本明細書に開示された技術に係るコネクタは、前記端子を収容するキャビティを有するコネクタハウジングと、前記キャビティ内に収容された前記端子の前記延び方向について前記コネクタハウジングの後端部に取り付けられるリアホルダと、を備えたコネクタであって、前記リアホルダのうち前記延び方向の後端部には、前記キャビティに連通する挿通孔が開口されている。
【００３３】
上記の構成によれば、リアホルダにより、端子をコネクタハウジング内に抜け止め状態で保持することができる。
【００３４】
本明細書に開示された技術の実施態様としては以下の態様が好ましい。
【００３５】
前記スライド部は、前記接触面と反対側から前記接続片に当接する当接部を有し、前記スライド部は、前記当接部が前記接続片と当接する当接位置と、前記当接部が前記接続片と離間する離間位置との間を移動可能であり、前記リアホルダは、前記延び方向に沿って移動可能であり、前記リアホルダの前記延び方向の前端部には、前記リアホルダが前記延び方向について後方から前方に移動する際に、前記スライド部に前記延び方向の後方から当接して前記スライド部を前記延び方向の前方に押圧することにより、前記スライド部を前記当接位置に移動させるスライド部押圧部を有することが好ましい。
【００３６】
上記の構成によれば、リアホルダを移動させることにより、リアホルダのスライド部押圧部によってスライド部を押圧することができる。これにより、リアホルダを移動させると同時に、電線と端子とを電気的に接続させることができる。
【００３７】
前記スライド部は、前記接触面と反対側から前記接続片に当接する当接部を有し、前記スライド部は、前記当接部が前記接続片と当接する当接位置と、前記当接部が前記接続片と離間する離間位置との間を移動可能であり、前記リアホルダは、前記コネクタハウジングの後端部寄りの位置に係止する仮係止位置と、前記仮係止位置よりも前記延び方向について前方の本係止位置と、の間を移動可能であり、前記リアホルダの前記延び方向の前端部は、前記スライド部が前記当接位置にない場合には、前記スライド部と当接するようになっていることが好ましい。
【００３８】
上記の構成によれば、スライド部が当接位置に移動していなことにより、端子と電線とが不完全に接続されている状態を、リアホルダがスライド部に当接することにより検知することができる。
【００３９】
前記端子本体には、前記接続片に前記電線が配された状態において、前記電線の端縁が所定位置に配されていることを検知可能な端子窓部が開口されており、前記コネクタハウジングには、前記端子の前記端子窓部と外部とを連通するコネクタ窓部が設けられていることが好ましい。
【００４０】
上記の構成によれば、コネクタ窓部を介して端子窓部から電線の端縁が所定位置に配されているか否かを検知することができる。
【発明の効果】
【００４１】
本明細書に開示された技術によれば、比較的に大規模な治具を用いることなく、端子と電線とを接続することができる。
【図面の簡単な説明】
【００４２】
【図１】実施形態１に係るコネクタを示す斜視図
【図２】コネクタを示す断面図
【図３】スライド部が端子本体に仮係止した状態の雌端子を示す斜視図
【図４】スライド部が端子本体に仮係止した状態の雌端子を示す側面図
【図５】スライド部が端子本体に仮係止した状態の雌端子を示す平面図
【図６】スライド部が端子本体に本係止した状態の雌端子を示す斜視図
【図７】スライド部が端子本体に本係止した状態の雌端子を示す側面図
【図８】端子本体を示す斜視図
【図９】端子本体を示す側面図
【図１０】セレーションを示す一部拡大断面図
【図１１】セレーションのバリエーションを示す一部拡大断面図
【図１２】セレーションのバリエーションを示す一部拡大断面図
【図１３】端子本体を示す背面図
【図１４】スライド部を示す斜視図
【図１５】スライド部を示す上面図
【図１６】スライド部を示す側面図
【図１７】スライド部を示す正面図
【図１８】当接部の突出高さが変更されたスライド部を示す正面図
【図１９】コネクタハウジングを示す斜視図
【図２０】コネクタハウジングに雌端子が取り付けられた状態を示す斜視図
【図２１】コネクタハウジングに雌端子が取り付けられた状態を示す断面図
【図２２】コネクタハウジングにリアホルダが仮係止位置に取り付けられた状態を示す斜視図
【図２３】コネクタハウジングにリアホルダが仮係止位置に取り付けられた状態を示す断面図
【図２４】電線が挿通された状態を示す斜視図
【図２５】電線が挿通された状態を示す断面図
【図２６】スライド部が当接位置に移動していない状態において、リアホルダがスライド部に当接した状態を示す断面図
【図２７】実施形態２に係る雌端子を示す断面図
【図２８】雌端子を示す背面図
【発明を実施するための形態】
【００４３】
＜実施形態１＞
本明細書に開示された技術の実施形態１を図１から図２６を参照しつつ説明する。本実施形態に係るコネクタ１０は、電線１１の端末に接続された雌端子１２（端子の一例）を収容する。以下の説明においては、Ｚ方向を上方とし、Ｙ方向を前方とし、Ｘ方向を左方として説明する。複数の同一部材については、一部の部材にのみ符号を付し、他の部材の符号を省略する場合がある。
【００４４】
（電線１１）
図２に示すように、電線１１は芯線１３の外周面を絶縁性の合成樹脂からなる絶縁被覆１４で包囲してなる。絶縁被覆１４の端末部分は皮剥ぎされて、芯線１３が露出している。本実施形態に係る芯線１３は、１本の金属線からなる、いわゆる単芯線である。なお、芯線１３は、複数の金属細線を撚り合わせてなる撚線であってもよい。芯線１３を構成する金属は、銅、銅合金、アルミニウム、アルミニウム合金等、必要に応じて任意の金属を適宜に選択できる。本実施形態に係る芯線１３は銅、又は銅合金からなる。
【００４５】
（端子本体１５）
図２〜図４に示すように、雌端子１２は、金属製の端子本体１５と、端子本体１５に対して相対的にスライド移動可能なスライド部１６と、を備える。端子本体１５はプレス加工、切削加工、鋳造等、公知の手法により所定の形状に形成される。端子本体１５を構成する金属は、銅、銅合金、アルミニウム、アルミニウム合金、ステンレス鋼等、必要に応じて任意の金属を適宜に選択できる。本実施形態に係る端子本体１５は、銅、又は銅合金からなる。端子本体１５の表面にはめっき層が形成されていてもよい。めっき層を構成する金属は、スズ、ニッケル、銀等必要に応じて任意の金属を適宜に選択できる。本実施形態に係る端子本体１５には、スズめっきが施されている。
【００４６】
図８及び図９に示すように、端子本体１５は、相手側の雄端子（図示せず）が挿入される接続筒部１７と、接続筒部１７から後方に延出された上側接続片１８Ａ及び下側接続片１８Ｂと、を備える。接続筒部１７は前後方向に延びる角筒状をなしている。接続筒部１７の前端は相手側の雄端子が挿入可能に開口されている。
【００４７】
図２に示すように、接続筒部１７の内部には、接続筒部１７の後部から前方に延びると共に弾性変形可能な弾性接触片１９が配されている。接続筒部１７内に挿入された雄端子は、弾性接触片１９と接触するようになっている。
【００４８】
接続筒部１７の後方には角筒状をなす基部２０が設けられている。基部２０の上壁の後端部には上側接続片１８Ａ（接続片の一例）が後方に延びて設けられており、基部２０の下壁の後端部には下側接続片１８Ｂ（接続片の一例）が後方に延びて設けられている。上側接続片１８Ａと下側接続片１８Ｂは前後方向（延び方向の一例）に延びた細長い形状をなしている。上側接続片１８Ａと下側接続片１８Ｂの前後方向の長さ寸法は略同じに形成されている。
【００４９】
上側接続片１８Ａは、基部２０の後端部を支点にして、上下方向に弾性変形可能に形成されている。上側接続片１８Ａの下面は、芯線１３と接触する接触面２１Ａとされる。上側接続片１８Ａの接触面２１Ａには、左右方向に延びると共に溝状をなすセレーション２２Ａが、前後方向に並んで形成されている。上側接続片１８Ａの接触面２１Ａには、後端部からやや前方の位置に、下方に突出する上側保持突部２３Ａが設けられている。上側保持突部２３Ａの下面にもセレーション２２Ａが形成されていてもよい。
【００５０】
下側接続片１８Ｂは、基部２０の後端部を支点として、上下方向に弾性変形可能に形成されている。下側接続片１８Ｂの上面は、芯線１３と接触する接触面２１Ｂとされる。下側接続片１８Ｂの接触面２１Ｂには、下方に陥没する電線ガイド凹部４８が、延び方向（前後方向）に延びて形成されている。下側接続片１８Ｂの接触面２１Ｂの後端部には、上方に突出する下側保持突部２３Ｂが設けられている。下側保持突部２３Ｂの上面には、左右方向に延びると共に溝状をなすセレーション２２Ｂが前後方向に間隔を空けて並んで形成されている。下側保持突部２３Ｂと、上側保持突部２３Ａとは、前後方向についてずれた位置に設けられている。下側接続片１８Ｂの接触面２１Ｂのうち下側保持突部２３Ｂが設けられてない部分にも、セレーション２２Ｂが形成されていてもよい。
【００５１】
上側接続片１８Ａに設けられたセレーション２２Ａ、及び下側接続片１８Ｂに設けられたセレーション２２Ｂは、芯線１３の表面に形成された酸化被膜に食い込んで酸化被膜を剥がすことにより、芯線１３の金属表面を露出させるようになっている。この金属表面と、上側接続片１８Ａの接触面２１Ａ及び下側接続片１８Ｂの接触面２１Ａとが接触することにより、芯線１３と端子本体１５とが電気的に接続される。
【００５２】
図１０から図１２に示すように、セレーション２２Ａ、及びセレーション２２Ｂの形状は、必要に応じて適宜に選択することができる。本実施形態においては、図１０に示すように、セレーション２２Ａ、２２Ｂは、断面形状がＶ字状をなす、いわゆるＶ字溝形状となっている。
【００５３】
また、図１１に示すように、セレーション２２Ａ、２２Ｂは、前後方向について緩やかに波打つ曲面状に形成されてもよい。
【００５４】
また、図１２に示すように、溝状をなすセレーション２２Ａ、２２Ｂのうち、後壁が切り立って形成されると共に、前壁が後方に向かうに従って拡開する傾斜面を有する構成としてもよい。この場合には、セレーション２２Ａ，２２Ｂの後壁が芯線１３の表面に食い込むことにより、電線１１と雌端子１２との保持力を向上させることができる。
【００５５】
セレーション２２Ａ、２２Ｂの形状は、上記のほかに、任意の形状とすることができる。例えば、いわゆるＵ字溝としてもよいし、溝状をなすセレーション２２Ａ、２２Ｂの底壁と両側壁とが直交する形状としてもよい。
【００５６】
端子本体１５には、接続筒部１７の後方であって、且つ、基部２０の前方の位置に、上方に開口した端子窓部２４が設けられている。端子窓部２４からは、芯線１３が上側接続片１８Ａと下側接続片１８Ｂとの間の空間内に配された状態で、芯線１３の前端部が外部から検知可能になっている。外部から検知可能とは、外部から作業員によって視認による確認が可能であることを含むと共に、外部からカメラ（図示せず）によって検知可能であることも含み、また、外部からプローブ（図示せず）を挿入して電気的に芯線１３の前端部を検知することも含む。
【００５７】
（スライド部１６）
図１４から図１８に示すように、スライド部１６は、前後方向（延び方向の一例）に延びる角筒状をなしている。スライド部１６は、切削加工、鋳造、プレス加工等、必要に応じて公知の手法により形成される。スライド部１６を構成する金属は、銅、銅合金、アルミニウム、アルミニウム合金、ステンレス鋼等、必要に応じて任意の金属を適宜に選択できる。本実施形態に係るスライド部１６は、銅、又は銅合金からなる。スライド部１６の表面にはめっき層が形成されていてもよい。めっき層を構成する金属は、スズ、ニッケル、銀等必要に応じて任意の金属を適宜に選択できる。本実施形態に係るスライド部１６には、スズめっきが施されている。
【００５８】
スライド部１６の断面形状は、端子本体１５のうち、上側接続片１８Ａと下側接続片１８Ｂが設けられた領域の断面形状と同じか、やや大きく形成されている。これにより、スライド部１６は、端子本体１５のうち、上側接続片１８Ａと下側接続片１８Ｂとが設けられた領域に外嵌可能になっている。
【００５９】
スライド部１６の上壁の下面には、下方に突出する上側当接部２５Ａ（加圧部、当接部の一例）が設けられている。スライド部１６の下壁の上面には、上方に突出する下側当接部２５Ｂ（加圧部、当接部の一例）が設けられている。
【００６０】
スライド部１６の側壁には、前後方向の前端部寄りの位置に、仮係止受け部２６（離間位置係止受け部の一例）が開口されている。また、スライド部１６の側壁には、仮係止受け部２６よりも後方の位置に、本係止受け部２７（当接位置係止受け部の一例）が開口されている。仮係止受け部２６と、本係止受け部２７は、端子本体１５の側壁に設けられた係止突起２８（離間位置係止部、及び当接位置係止部の一例）と弾性的に係止可能になっている。
【００６１】
端子本体１５の係止突起２８とスライド部１６の仮係止受け部２６とが係止した状態は、端子本体１５に対してスライド部１６が仮係止位置に保持された状態となっている。この状態においては、スライド部１６の上側当接部２５Ａ及び下側当接部２５Ｂは、端子本体１５の上側接続片１８Ａ及び下側接続片１８Ｂの後端縁から後方に離間した、離間位置に配されている。また、この状態においては、上側接続片１８Ａと下側接続片１８Ｂとの間の間隔は、芯線１３の直径よりも大きく設定されている。
【００６２】
端子本体１５の係止突起２８とスライド部１６の本係止受け部２７とが係止した状態は、端子本体１５に対してスライド部１６が本係止位置に係止された状態となっている。この状態においては、スライド部１６の上側当接部２５Ａは、端子本体１５の上側接続片１８Ａの接触面２１Ａと反対側（上側）から上側接続片１８Ａに当接している。また、スライド部１６の下側当接部２５Ｂは、端子本体の下側接続片１８Ｂの接触面２１Ｂと反対側（下側）から下側接続片１８Ｂに当接している。このように、スライド部１６が端子本体１５に対して本係止された位置が、上側当接部２５Ａが上側接続片１８Ａに当接すると共に、下側当接部２５Ｂが下側接続片１８Ｂに当接する、当接位置とされる。
【００６３】
上記のように、スライド部１６は、端子本体１５のうち上側接続片１８Ａと下側接続片１８Ｂとが設けられた領域に外嵌された状態で、上記した仮係止位置と、本係止位置との間をスライド移動可能になっている。本実施形態においては、端子本体１５に設けられた係止突起２８は、離間位置係止部と、当接位置係止部とを兼ねている。
【００６４】
上記したように、スライド部１６が端子本体１５に対して本係止位置で保持された状態においては、上側当接部２５Ａは、上側接続片１８Ａの上面に対して上方から当接しており、下側当接部２５Ｂは、下側接続片１８Ｂの下面に対して下方から当接している。
【００６５】
スライド部１６が端子本体１５に対して本係止位置で保持された状態では、上側当接部２５Ａが上方から上側接続片１８Ａを押圧することによって上側接続片１８Ａが下方に弾性変形するようになっている。また、下側当接部２５Ｂが下方から下側接続片１８Ｂを押圧することによって下側接続片１８Ｂが上方に弾性変形するようになっている。これにより、上側接続片１８Ａと下側接続片１８Ｂとの間の空間に、芯線１３を前後方向（延び方向）に延びた状態で配し、且つ、スライド部１６が端子本体１５に対して本係止位置で保持した状態では、芯線１３は、弾性変形した上側接続片１８Ａと下側接続片１８Ｂによって上下方向から挟持されるようになっている。すなわち、上側接続片１８Ａは上側当接部２５Ａに下方に押圧されることにより芯線１３に上方から接触し、下側接続片１８Ｂは下側当接部２５Ｂに上方に押圧されることにより芯線１３に下方から接触するようになっている。
【００６６】
なお、図１７及び図１８に示すように、上側当接部２５Ａの高さ寸法、及び下側当接部２５Ｂの高さ寸法を適宜変更することにより、同一形状の端子本体１５を用いた場合であっても、芯線１３の直径が異なる電線１１を雌端子１２と接続することができる。例えば、図１８には、上側当接部２５Ａの高さ寸法、及び下側当接部２５Ｂの高さ寸法が、図１７に記載されたものよりも低い場合が示される。この場合には、同一形状の端子本体１５を用いて、芯線１３の直径が、図１７に記載されたものよりも大きな電線１１を雌端子１２と接続することができる。
【００６７】
スライド部１６が端子本体１５に対して本係止位置で保持された状態では、上側接続片１８Ａの上側保持突部２３Ａが芯線１３を上方から押圧し、下側接続片１８Ｂの下側保持突部２３Ｂが芯線１３を下方から押圧する。このように、芯線１３は、上側保持突部２３Ａによって上方から押圧されると共に、上側保持突部２３Ａと前後方向にずれた位置に配された下側保持突部２３Ｂによって下方から押圧されることにより、上下方向（延び方向と交差する方向の一例）について屈曲した状態に保持される。また、上側保持突部２３Ａと、下側保持突部２３Ｂとによっても、芯線１３と雌端子１２とが電気的に接続されるようになっている。
【００６８】
スライド部１６の前端部には、上壁から上方に突出する治具当接部４６が設けられている。治具当接部４６に後方から治具４５が当接して、この治具４５によってスライド部１６が前方に押されることにより、スライド部１６が前方に移動可能になっている（図２６参照）。治具４５は細長い板状又は棒状をなしている。治具４５は、金属、合成樹脂等、公知の材料からなる。なお、上記の治具４５は、金型や、この金型を稼働させるための設備に比べて、比較的に小規模なものとなっている。このため、治具４５に起因するコストの増大が抑制されるようになっている。
【００６９】
スライド部１６の後端部寄りの位置には、左右両側壁に、スライド部１６の内方に突出する一対の誘い込み部４７が設けられている。誘い込み部４７は、後方から前方に向かうに従って幅狭に形成されている。誘い込み部４７の内面に芯線１３が摺接することにより、芯線１３はスライド部１６の内部へと案内される。
【００７０】
（コネクタ１０）
図１に示すように、コネクタ１０は、雌端子１２を収容する複数のキャビティ２９を有するコネクタハウジング３０と、コネクタハウジング３０の後端部に組み付けられるリアホルダ３１と、を備える。
【００７１】
（コネクタハウジング３０）
図１９に示すように、コネクタハウジング３０は、上下方向に扁平であって左右方向に延びた略直方体形状をなしている。コネクタハウジング３０は絶縁性の合成樹脂を射出成型することにより形成される。コネクタハウジング３０には、雌端子１２を収容する前後方向に延びた複数のキャビティ２９が、左右方向に間隔を空けて並列されると共に、上下に２段に重ねられている。上段に形成された各キャビティ２９と、下段に形成された各キャビティ２９とは、上下にずれた位置に配されている。なお、キャビティ２９の個数は任意であり、また、上下に重ねられる場合の段数も任意である。
【００７２】
キャビティ２９の前端は前方に開口しており、雄端子が挿入可能になっている。キャビティ２９の後端は後方に開口しており、雌端子１２を後方から収容可能になっている。
【００７３】
図２に示すように、雌端子１２がキャビティ２９内に収容された状態で、雌端子１２の端子窓部２４に対応する位置に、キャビティ２９を構成する壁を貫通するコネクタ窓部３３が形成されている。このコネクタ窓部３３によって、端子窓部２４が外部と連通するようになっている。コネクタ窓部３３からは、雌端子１２の端子窓部２４が外部から検知可能になっている。これにより、コネクタ窓部３３、及び端子窓部２４を通して、芯線１３の前端部が外部から検知可能になっている。
【００７４】
コネクタハウジング３０は、上段に形成されたキャビティ２９と、下段に形成されたキャビティ２９との間を仕切る隔壁３４を有する。隔壁３４は、キャビティ２９の後端部から後方に延出されている。隔壁３４の上面及び下面には、それぞれ、前後方向に延びると共に上下に突出した仕切り壁３５が設けられている。この仕切り壁３５によって、各キャビティ２９に収容された雌端子１２が左右方向に隣り合う雌端子１２と電気的に絶縁されるようになっている。
【００７５】
コネクタハウジング３０の左右両側壁の後端部寄りの位置には、外方に突出する仮係止ロック部３６が設けられており、この仮係止ロック部３６よりも前方の位置には、本係止ロック部３７が外方に突出して設けられている。
【００７６】
（リアホルダ３１）
リアホルダ３１は、前方に開口する箱状をなしている。リアホルダ３１は、絶縁性の合成樹脂を射出成型することにより形成される。リアホルダ３１は、コネクタハウジング３０の後半部分に外嵌されるようになっている。リアホルダ３１の左右両側壁の前端部寄りの位置には、コネクタハウジング３０の仮係止ロック部３６、及び本係止ロック部３７に弾性的に係止可能なロック受け部３８が設けられている。ロック受け部３８は、概ね門形状をなしている。
【００７７】
コネクタハウジング３０の仮係止ロック部３６と、リアホルダ３１のロック受け部３８とが係止することにより、リアホルダ３１はコネクタハウジング３０に対して仮係止位置に保持される。また、コネクタハウジング３０の本係止ロック部３７と、リアホルダ３１のロック受け部３８とが係止することにより、リアホルダ３１はコネクタハウジング３０に対して本係止位置に保持される。
【００７８】
リアホルダ３１には、電線１１が挿通される複数の挿通孔３９が、左右方向に並列すると共に、上下に２段に並んで設けられている。挿通孔３９は、コネクタハウジング３０のキャビティ２９に対応する位置に設けられている。
【００７９】
挿通孔３９の内径寸法は、電線１１の絶縁被覆１４の外径寸法と同じか、やや大きく設定されている。
【００８０】
リアホルダ３１には、コネクタハウジング３０が嵌入されるフード部４１が、前方に開口している。フード部４１の後端部には、上下方向の中央付近に、フード部４１内に前方に突出すると共に、上下に間隔を空けて並ぶ一対の突出壁４２Ａ，４２Ｂが設けられている。この一対の突出壁４２Ａ，４２Ｂの上下方向の間隔は、コネクタハウジング３０の隔壁３４の上下方向の厚さ寸法を同じか、やや大きく設定されている。
【００８１】
リアホルダ３１がコネクタハウジング３０に対して仮係止位置に保持された状態では、リアホルダ３１の一対の突出壁４２Ａ，４２Ｂは、コネクタハウジング３０の隔壁３４の後端縁よりも後方に位置している。リアホルダ３１がコネクタハウジング３０に対して本係止位置に保持された状態では、リアホルダ３１の一対の突出壁４２Ａ，４２Ｂの間に、コネクタハウジング３０の隔壁３４が嵌り込むようになっている。これにより、リアホルダ３１がコネクタハウジング３０に対して上下方向に位置ずれすることが抑制されるようになっている。
【００８２】
フード部４１の内壁は、前端縁からやや後方の領域が、他の領域に比べて薄く形成されている。これにより、フード部４１の内壁には、前端部寄りの位置と後部との間に、段差が形成されている。この段差は、リアホルダ３１がコネクタハウジング３０に対して仮係止位置から本係止位置に移動する際に、スライド部１６の後端部４４に後方から当接するスライド部押圧部４３とされる。このスライド部押圧部４３が、スライド部１６の後端部４４に後方から当接してスライド部１６を前方に押圧することにより、スライド部１６が本係止位置に移動するようになっている。
【００８３】
（コネクタ１０の組み立て工程の第１例）
続いて、本実施形態に係るコネクタ１０の組み立て工程の第１例について説明する。コネクタ１０の組み立て工程は以下の記述に限定されない。
【００８４】
公知の手法により、端子本体１５と、スライド部１６とを形成する。端子本体１５に対して、後方からスライド部１６を組み付ける。端子本体１５の係止突起２８に後方からスライド部１６の前端縁が当接し、スライド部１６の側壁が拡開変形する。更にスライド部１６を前方に押し込むと、スライド部１６の側壁が復帰変形し、端子本体１５の係止突起２８に、スライド部１６の仮係止受け部２６が係止する。これにより、端子本体１５に対してスライド部１６が仮係止位置に保持される。これにより雌端子１２が得られる（図３参照）。
【００８５】
合成樹脂を射出成型することにより、コネクタハウジング３０とリアホルダ３１とを形成する（図１９参照）。コネクタハウジング３０のキャビティ２９内に、後方から雌端子１２を挿入する（図２０及び図２１参照）。
【００８６】
図２２及び図２３に示すように、コネクタハウジング３０の後端部に、後方からリアホルダ３１を組み付ける。すると、コネクタハウジング３０の仮係止ロック部３６に、リアホルダ３１の前端部が後方から当接し、リアホルダ３１の前端部が拡開変形する。更にリアホルダ３１を前方に押し込むと、リアホルダ３１の前端部が復帰変形し、コネクタハウジング３０の仮係止ロック部３６に、リアホルダ３１のロック受け部３８が弾性的に係止する。これにより、リアホルダ３１が、コネクタハウジング３０に対して仮係止位置に保持される。この状態では、リアホルダ３１のスライド部押圧部４３は、スライド部１６の後端縁から後方に離間した位置に配されている。
【００８７】
電線１１の端部において絶縁被覆１４を皮剥ぎすることにより、所定の長さ寸法の芯線１３を露出させる。リアホルダ３１の後端部に設けられた挿通孔３９内に、芯線１３の前端部を後方から挿入する。
【００８８】
電線１１を更に前方に押し込むと、芯線１３の前端部はリアホルダ３１の挿通孔３９から前方に突出し、スライド部１６の後端部４４からスライド部１６の内部へと導入される。芯線１３はスライド部１６の誘い込み部４７と当接することにより、スライド部１６へと案内される。更に電線１１を前方に押し込むと、芯線１３の前端部は端子本体１５の内部へと進入して上側接続片１８Ａと下側接続片１８Ｂとの間の空間内に至る。
【００８９】
更に電線１１を前方に押し込むと、芯線１３の前端部は端子本体１５の端子窓部２４の下方の位置へと到達する（図２５参照）。すると、コネクタ窓部３３から視認可能な端子窓部２４内において、芯線１３の前端部を、目視、プローブ等により検知することができる。この状態で、リアホルダ３１の挿通孔３９内には電線１１の絶縁被覆１４が位置している。
【００９０】
端子本体１５に対してスライド部１６が仮係止位置に保持された状態であって、且つ、リアホルダ３１が、コネクタハウジング３０に対して仮係止位置に保持された状態では、上側接続片１８Ａと下側接続片１８Ｂとの間隔は、芯線１３の外径寸法よりも大きく設定されているので、芯線１３をコネクタ１０内に挿入する際に、芯線１３は上側接続片１８Ａ及び下側接続片１８Ｂから大きな摩擦力を受けないようになっている。このため、電線１１をコネクタ１０に挿入する際の挿入力を低減させることができる。
【００９１】
次に、リアホルダ３１を前方に押圧すると、リアホルダ３１の前端部がコネクタハウジング３０の本係止ロック部３７に乗り上げて拡開変形する。更にリアホルダ３１を前方に押圧すると、リアホルダ３１のスライド部押圧部４３がスライド部１６の後端部４４に後方から当接する。更にリアホルダ３１を前方に押圧すると、スライド部押圧部４３によってスライド部１６は端子本体１５に対して相対的に前方に移動する。このとき、端子本体１５の係止突起２８と、スライド部１６の仮係止受け部２６との係止が外れ、スライド部１６の側壁が係止突起２８に乗り上げて拡開変形する。
【００９２】
更にリアホルダ３１を前方に押圧すると、スライド部１６の側壁が復帰変形して端子本体１５の係止突起２８と、スライド部１６の本係止受け部２７とが弾性的に係止する。これによりスライド部１６が端子本体１５に対して本係止位置に保持される。このとき、コネクタハウジング３０の本係止ロック部３７と、リアホルダ３１のロック受け部３８とが係止する。これにより、リアホルダ３１がコネクタハウジング３０に対して本係止位置に保持される（図１及び図２参照）。
【００９３】
スライド部１６が端子本体１５に対して本係止位置に保持された状態で、スライド部１６の上側当接部２５Ａが、端子本体１５の上側接続片１８Ａに上方から当接して下方へと押圧する。また、スライド部１６の下側当接部２５Ｂが、端子本体１５の下側接続片１８Ｂに下方から当接して上方へと押圧する。これにより、芯線１３が、上側接続片１８Ａと下側接続片１８Ｂに上下から挟持される。
【００９４】
上側接続片１８Ａの下面に形成されたセレーション２２Ａと、下側接続片１８Ｂの上面に形成されたセレーション２２Ｂとが、芯線１３の表面に形成された酸化被膜に食い込み、更にこの酸化被膜を剥がすことにより、芯線１３を構成する金属表面が露出する。この金属表面と、上側接続片１８Ａ及び下側接続片１８Ｂが接触することにより、電線１１と雌端子１２とが電気的に接続される。
【００９５】
芯線１３が上側接続片１８Ａと下側接続片１８Ｂに上下から挟持された状態においては、芯線１３は、上側接続片１８Ａの上側保持突部２３Ａと、下側接続片１８Ｂの下側保持突部２３Ｂとに挟まれることにより、前後方向に延びた状態で、且つ、上下方向に屈曲した状態で保持される。これにより、芯線１３を強固に保持することができるので、電線１１に引っ張り力が作用した場合に、電線１１と雌端子１２との保持力を高めることができる。
【００９６】
（コネクタ１０の組み立て工程の第２例）
続いて、本実施形態に係るコネクタ１０の組み立て工程の第２例について説明する。本製造工程においては、図２６に示すように、治具４５を後方から治具当接部４６に当接させて、スライド部１６を前方にスライド移動させた後に、リアホルダ３１を前方に移動させるようになっている。
【００９７】
スライド部１６を本係止位置にまで移動させる過程で、図２６に示すように、スライド部１６が、仮係止位置と本係止位置との間に停止する場合がある。この状態では、芯線１３と、上側接続片１８Ａ及び下側接続片１８Ｂとの電気的な接続状態は、十分ではない。芯線１３に対する上側接続片１８Ａ及び下側接続片１８Ｂの接圧が十分ではないからである。この状態で、リアホルダ３１を仮係止位置から本係止位置へと移動させようとすると、リアホルダ３１のスライド部押圧部４３はスライド部１６の後端部に当接することにより、リアホルダ３１が本係止位置に移動できない状態になる。これにより、スライド部１６が本係止位置にまで移動したか否かを判定することができる。
【００９８】
上記以外の組み立て工程については、第１例と略同様なので、重複する説明を省略する。
【００９９】
（実施形態の作用、効果）
続いて、本実施形態の作用効果について説明する。本実施形態に係る雌端子１２は、電線１１の芯線１３と接触する接触面２１Ａ、２１Ｂを有すると共に、延び方向に沿って延びる変形可能な上側接続片１８Ａ、及び下側接続片１８Ｂを備えた端子本体１５と、延び方向に沿って移動可能なスライド部１６と、を備えた雌端子１２であって、スライド部１６は、上側接続片１８Ａ、及び下側接続片１８Ｂの接触面２１Ａ、２１Ｂ側に芯線１３が延び方向に沿って配された状態で、上側接続片１８Ａ、及び下側接続片１８Ｂを芯線１３に押圧する上側当接部２５Ａ、及び下側当接部２５Ｂを有する。
【０１００】
上記の構成によれば、スライド部１６を延び方向に沿って移動させることにより、上側接続片１８Ａ、及び下側接続片１８Ｂを芯線１３に押圧することができる。これにより、上側接続片１８Ａ、及び下側接続片１８Ｂと芯線１３とが電気的に接続されるので、金型のような比較的に大規模な治具を用いることなく、電線１１と雌端子１２とを電気的に接続することができる。
【０１０１】
また、本実施形態によれば、スライド部１６の上側当接部２５Ａ、及び下側当接部２５Ｂは、接触面２１Ａ，２１Ｂと反対側から上側接続片１８Ａ、及び下側接続片１８Ｂに当接する。
【０１０２】
上記の構成によれば、上側当接部２５Ａ、及び下側当接部２５Ｂを、上側接続片１８Ａ、及び下側接続片１８Ｂの接触面２１Ａ，２１Ｂと反対側から当接させることにより、上側接続片１８Ａ、及び下側接続片１８Ｂを電線１１の芯線１３に押圧することができる。これにより、電線１１と雌端子１２とを電気的に接続することができる。
【０１０３】
本実施形態によれば、スライド部１６は、上側当接部２５Ａ、及び下側当接部２５Ｂが、それぞれ、上側接続片１８Ａ、及び下側接続片１８Ｂと当接する当接位置と、上側当接部２５Ａ、及び下側当接部２５Ｂが、それぞれ、上側接続片１８Ａ、及び下側接続片１８Ｂと離間する離間位置との間を移動可能である。
【０１０４】
上記の構成によれば、スライド部１６を端子本体１５に対して離間位置から当接位置に移動させるという簡易な操作により、電線１１と雌端子１２とを電気的に接続することができる。
【０１０５】
本実施形態によれば、スライド部１６は延び方向に延びる筒状に形成されており、スライド部１６の延び方向の後端部寄りの位置には、延び方向について前方に向かうに従って幅狭になると共に、電線１１の芯線１３と摺接することにより電線１１をスライド部１６の内部へと案内する誘い込み部４７を有する。
【０１０６】
上記の構成によれば、芯線１３を誘い込み部４７に摺接させることにより、筒状をなすスライド部１６の内部に芯線１３を容易に挿入することができる。
【０１０７】
本実施形態によれば、スライド部１６には外方に突出する治具当接部４６が設けられており、治具当接部４６が治具４５により延び方向について後方から押圧されることにより、スライド部１６が延び方向について前方にスライドするようになっている。
【０１０８】
上記の構成によれば、治具４５を治具当接部４６に当接させてスライド部１６を延び方向について前方に押圧することにより、電線１１と雌端子１２とを電気的に接続させることができる。
【０１０９】
本実施形態によれば、上側接続片１８Ａは接触面２１Ａから突出する上側保持突部２３Ａを有し、下側接続片１８Ｂは接触面２１Ｂから突出する下側保持突部２３Ｂを有する。上側保持突部２３Ａ及び下側保持突部２３Ｂは、電線１１の芯線１３に当接することにより、芯線１３を延び方向と交差する方向に屈曲した状態に保持する。
【０１１０】
上記の構成によれば、上側保持突部２３Ａ及び下側保持突部２３Ｂによって芯線１３が延び方向と交差する方向に屈曲した状態に保持されるので、電線１１に対して引っ張り力が作用した場合でも、上側保持突部２３Ａ及び下側保持突部２３Ｂによって引っ張り力を受けることができる。これにより、電線１１と雌端子１２とが強固に保持されるようになっている。
【０１１１】
各接触面２１Ａ，２１Ｂには、上側接続片１８Ａ及び下側接続片１８Ｂが芯線１３に加圧された状態で芯線１３の表面に食い込むセレーション２２Ａ，２２Ｂが形成されている。
【０１１２】
上記の構成によれば、セレーション２２Ａ，２２Ｂが芯線１３の表面に食い込むことにより、芯線１３と雌端子１２との保持力が向上する。また、芯線１３の表面に形成された絶縁性の被膜をセレーション２２Ａ，２２Ｂによって剥がすことができるので、芯線１３と雌端子１２との間の電気抵抗値を小さくすることができる。
【０１１３】
セレーション２２Ａ，２２Ｂは、延び方向と直交する方向に延びる溝状に形成されると共に、延び方向に間隔を空けて並んで形成されている。
【０１１４】
上記の構成によれば、電線１１の延び方向の複数箇所において、セレーション２２Ａ，２２Ｂによって芯線１３を保持することができるので、芯線１３と雌端子１２との保持力を向上させることができる。また、電線１１の延び方向の複数箇所において、セレーション２２Ａ，２２Ｂによって芯線１３と雌端子１２とを電気的に接続することができるので、芯線１３と雌端子１２との間の電気抵抗値を小さくすることができる。
【０１１５】
本実施形態によれば、接触面２１Ｂには、延び方向に沿って延びる電線ガイド凹部４８が形成されている。
【０１１６】
上記の構成によれば、電線ガイド凹部４８に芯線１３を添わせることにより、芯線１３を容易に接触面２１Ｂに配置することができる。
【０１１７】
本実施形態によれば、端子本体１５には、上側接続片１８Ａ及び下側接続片１８Ｂに芯線１３が配された状態において、芯線１３の端縁が所定位置に配されていることを検知可能な端子窓部２４が開口されている。
【０１１８】
上記の構成によれば、端子窓部２４から芯線１３の端縁を検知することにより、芯線１３が所定の位置に配され、芯線１３と雌端子１２とが接続されたか否かを容易に確認することができる。
【０１１９】
本実施形態によれば、端子本体１５には係止突起２８が設けられ、スライド部１６には、仮係止受け部２６と本係止受け部２７とが設けられている。係止突起２８と仮係止受け部２６とが係止することにより、スライド部１６が仮係止位置に保持されるようになっており、係止突起２８と本係止受け部とが係止することにより、スライド部１６が本係止位置に保持されるようになっている。
【０１２０】
これにより、スライド部１６を端子本体１５に対して、仮係止位置と、本係止位置とにそれぞれ保持することができる。
【０１２１】
本実施形態に係るコネクタ１０は、雌端子１２を収容するキャビティ２９を有するコネクタハウジング３０と、コネクタハウジング３０の後端部に取り付けられるリアホルダ３１と、を備えたコネクタ１０であって、リアホルダ３１の後端部には、キャビティ２９に連通する挿通孔３９が開口されている。
【０１２２】
上記の構成によれば、リアホルダ３１により、雌端子１２をコネクタハウジング３０内に抜け止め状態で保持することができる。
【０１２３】
本実施形態によれば、スライド部１６は、接触面２１Ａと反対側から上側接続片１８Ａに当接する上側当接部２５Ａと、接触面２１Ｂと反対側から下側接続片１８Ｂに当接する下側当接部２５Ｂと、を有する。スライド部１６は、上側当接部２５Ａ及び下側当接部２５Ｂがそれぞれ上側接続片１８Ａ及び下側接続片１８Ｂと当接する当接位置と、上側当接部２５Ａ及び下側当接部２５Ｂがそれぞれ上側接続片１８Ａ及び下側接続片１８Ｂと離間する離間位置との間を移動可能となっている。リアホルダ３１は、延び方向に沿って移動可能であり、リアホルダ３１の延び方向の前端部には、リアホルダ３１が延び方向について後方から前方に移動する際に、スライド部１６に延び方向の後方から当接してスライド部１６を延び方向の前方に押圧することにより、スライド部１６を当接位置に移動させるスライド部押圧部４３を有する。
【０１２４】
上記の構成によれば、リアホルダを移動させることにより、リアホルダのスライド部押圧部によってスライド部を押圧することができる。これにより、リアホルダを移動させると同時に、電線と端子とを電気的に接続させることができる。
【０１２５】
本実施形態によれば、リアホルダ３１は、前後方向に沿って移動可能であって、リアホルダ３１の前端部には、リアホルダ３１が後方から前方に移動する際に、スライド部１６に後方から当接してスライド部１６を前方に押圧することにより、スライド部１６を本係止位置に移動させるスライド部押圧部４３を有する。
【０１２６】
上記の構成によれば、リアホルダ３１を後方から前方に移動させることにより、リアホルダ３１のスライド部押圧部４３によってスライド部１６が押圧される。これによりスライド部１６を本係止位置まで移動させることができる。すると、スライド部１６の上側当接部２５Ａ及び下側当接部２５Ｂがそれぞれ、上側接続片１８Ａ及び下側接続片１８Ｂに当接して、上側接続片１８Ａ及び下側接続片１８Ｂを芯線１３に向かって押圧し、上側接続片１８Ａ及び下側接続片１８Ｂを芯線１３が変形して芯線１３と接触するので、電線１１と雌端子１２とが電気的に接続される。本構成によれば、リアホルダ３１を延び方向について後方から前方へと移動させるという１つの動作により、電線１１と雌端子１２とを電気的に接続することができる。
【０１２７】
また、本実施形態によれば、リアホルダ３１の延び方向の前端部は、スライド部１６が当接位置にない場合には、スライド部１６と当接するようになっている。
【０１２８】
上記の構成によれば、スライド部１６が当接位置に移動していないことにより、芯線１３と雌端子１２とが不完全に接続されている状態を、リアホルダ３１の前端部がスライド部１６に当接することにより検知することができる。
【０１２９】
本実施形態によれば、端子本体１５には、上側接続片１８Ａ及び下側接続片１８Ｂに芯線１３が配された状態において、芯線１３の端縁を外部から視認可能な端子窓部２４が形成されている。
【０１３０】
上記の構成によれば、雌端子１２に配された芯線１３の端縁を端子窓部２４から確認することができるので、芯線１３が上側接続片１８Ａ及び下側接続片１８Ｂに対して所定の位置に配されていることを容易に検査することができる。
【０１３１】
更に本実施形態によれば、コネクタハウジング３０には、雌端子１２の端子窓部２４を外部から視認可能なコネクタ窓部３３が設けられている。
【０１３２】
上記の構成によれば、雌端子１２に配された芯線１３の端縁をコネクタ窓部３３から確認することができるので、芯線１３が接続片１８に対して所定の位置に配されていることを容易に検査することができる。
【０１３３】
＜実施形態２＞
次に、本明細書に開示された技術の実施形態２を、図２７〜図２８を参照しつつ説明する。本実施形態に係る雌端子５２は、端子本体５５と、スライド部５６と、を有する。端子本体５５は、接続筒部５７の左右両側壁の後端部から、後方に延出した一対の接続片５８Ａ，５８Ｂを有する。
【０１３４】
接続筒部５７の上壁の後端縁からは、後方に延びる上側保持片７０Ａが形成されている。上側保持片７０Ａは上下方向に弾性変形可能である。上側保持片７０Ａの後端縁は、接続片５８Ａ，５８Ｂの後端縁よりも後方に延びている。接続筒部５７の下壁の後端縁からは、後方に延びる下側保持片７０Ｂが形成されている。下側保持片７０Ｂは上下方向に弾性変形可能である。下側保持片７０Ｂの後端縁は、接続片５８Ａ，５８Ｂの後端縁よりも後方に延びている。また、上側保持片７０Ａの後端縁は、下側保持片７０Ｂの後端縁よりも後方に延びている。
【０１３５】
上側保持片７０Ａの後端部の下面は、上側保持面７１Ａとされる。上側保持面７１Ａは弧状に形成されている。また、下側保持片７０Ｂの後端部の上面は、下側保持面７１Ｂとされる。下側保持面７１Ｂは弧状に形成されている。
【０１３６】
電線１１の絶縁被覆１４の前端部は、芯線１３が一対の接続片５８Ａ，５８Ｂに対応する位置に配された状態で、上側保持片７０Ａの上側保持面７１Ａ及び下側保持片７０Ｂの下側保持面７１Ｂの間に位置するように皮剥ぎされている。
【０１３７】
スライド部５６には、スライド部５６が本係止位置に移動した状態で、上側保持片７０Ａを上側保持面７１Ａと反対側から（上方から）当接して、上側保持片７０Ａを下方に押圧する上側保持片当接部７２Ａが設けられている。また、スライド部１６には、スライド部１６が本係止位置に移動した状態で、下側保持片７０Ｂを下側保持面７１Ｂと反対側から（下方方から）当接して、下側保持片７０Ｂを上方に押圧する下側保持片当接部７２Ｂが設けられている。
【０１３８】
スライド部１６が端子本体５５に対して本係止位置で保持された状態では、上側保持片当接部７２Ａが上方から上側保持片７０Ａを押圧することによって上側保持片７０Ａは下方に弾性変形するようになっている。また、下側保持片当接部７２Ｂが下方から下側保持片７０Ｂを押圧することによって下側保持片７０Ｂは上方に弾性変形するようになっている。これにより、上側保持片７０Ａと下側保持片７０Ｂとの間の空間に、絶縁被覆１４を配し、且つ、スライド部１６が端子本体５５に対して本係止位置で保持されると、絶縁被覆１４は、弾性変形した上側保持片７０Ａと下側保持片７０Ｂによって上下方向から挟持されるようになっている。
【０１３９】
上記以外の構成については、実施形態１と略同様なので、同一部材については同一符号を付し、重複する説明を省略する。
【０１４０】
本実施形態によれば、上側保持片７０Ａの上側保持面７１Ａと下側保持片７０Ｂの下側保持面７１Ｂとの間に絶縁被覆１４が前後方向に沿って配された状態で、且つ、スライド部１６が当接位置に移動した状態において、上側保持片当接部７２Ａ及び下側保持片当接部７２Ｂがそれぞれ、上側保持片７０Ａ及び下側保持片７０Ｂに当接して、上側保持片７０Ａ及び下側保持片７０Ｂを絶縁被覆１４に押圧する。これにより、上側保持片７０Ａ及び下側保持片７０Ｂ片によって電線１１の絶縁被覆１４を保持することができるので、電線１１の保持力を高めることができる。
【０１４１】
＜他の実施形態＞
本明細書に開示された技術は上記記述及び図面によって説明した実施形態に限定されるものではなく、例えば次のような実施形態も本明細書に開示された技術の技術的範囲に含まれる。
【０１４２】
（１）実施形態１においては、１個の端子本体１５に、上側接続片１８Ａと下側接続片１８Ｂとが設けられる構成としたが、これに限られず、１個の端子本体１５に１個の接続片が設けられてもよく、また、３個以上の接続片が設けられてもよい。
【０１４３】
（２）実施形態１においては、端子は、雌端子１２としたが、これに限られず、雄端子でもよく、また、円板形状の接続部分にボルト挿通孔を有する、いわゆる丸端子でもよい。
【０１４４】
（３）実施形態２においては、絶縁被覆１４を保持する上側保持突部２３Ａ及び下側保持突部２３Ｂを設ける構成としたが、上側保持突部２３Ａ及び下側保持突部２３Ｂは省略してもよい。
【０１４５】
（４）実施形態１においては、端子本体１５に端子窓部２４を設け、コネクタハウジング３０にコネクタ窓部３３を設ける構成としたが、端子窓部２４は省略してもよく、また、コネクタ窓部３３は省略してもよい。
【０１４６】
（５）実施形態１においては、リアホルダ３１の挿通孔３９の開口縁には誘い込み部４７を設けたが、誘い込み部４７は省略してもよい。
【０１４７】
（６）実施形態１においては、リアホルダ３１にはスライド部１６を押圧するスライド部押圧部４３を設けたが、スライド部押圧部４３は省略してもよい。
【０１４８】
（７）実施形態１においては、キャビティ２９は２段としたが、１段でもよく、３段以上でもよい。
【０１４９】
（８）実施形態１においては、スライド部１６は金属製としたが、これに限られず、スライド部１６は、合成樹脂製、セラミック製等、任意の材料により形成することができる。
【０１５０】
（９）実施形態１〜２においては、上側接続片１８Ａ及び下側接続片１８Ｂは弾性変形する構成としたが、上側接続片１８Ａ及び下側接続片１８Ｂは塑性変形してもよい。
【０１５１】
（１０）実施形態１〜２においては、電線１１は、芯線１３の外周が絶縁被覆１４で包囲された被覆電線としたが、電線１１は裸電線でもよい。
【０１５２】
（１１）実施形態１〜２においては、スライド部１６は角筒状とされていたが、これに限られず、スライド部１６は、円筒形状でもよく、三角筒形状、五角筒形状、六角筒形状等の多角筒形状でもよい。
【０１５３】
（１２）実施形態１において、スライド部１６には仮係止受け部２６が設けられる構成としたが、仮係止受け部２６は省略してもよい。
【符号の説明】
【０１５４】
１０：コネクタ
１１：電線
１２：雌端子（端子の一例）
１３：芯線
１４：絶縁被覆
１５：端子本体
１６：スライド部
１８Ａ：上側接続片（接続片の一例）
１８Ｂ：下側接続片（接続片の一例）
２１Ａ，２１Ｂ：接触面
２３Ａ：上側保持突部（保持突部の一例）
２３Ｂ：下側保持突部（保持突部の一例）
２４：端子窓部
２５Ａ：上側当接部（当接部の一例）
２５Ｂ：下側当接部（当接部の一例）
２６：仮係止受け部（離間位置係止受け部の一例）
２７：本係止受け部（当接位置係止受け部の一例）
２８：係止突起（離間位置係止部、当接位置係止部の一例）
２９：キャビティ
３０：コネクタハウジング
３１：リアホルダ
３３：コネクタ窓部
３９：挿通孔
４３：スライド部押圧部
４５：治具
４６：治具当接部
４７：誘い込み部
４８：電線ガイド凹部
７０Ａ：上側保持片（保持片の一例）
７０Ｂ：下側保持片（保持片の一例）
７１Ａ，７１Ｂ：保持面
７２Ａ：上側保持片当接部（保持片当接部の一例）
７２Ｂ：下側保持片当接部（保持片当接部の一例）
【図１】
2020074346.tif 000003
【図２】
2020074346.tif 000004
【図３】
2020074346.tif 000005
【図４】
2020074346.tif 000006
【図５】
2020074346.tif 000007
【図６】
2020074346.tif 000008
【図７】
2020074346.tif 000009
【図８】
2020074346.tif 000010
【図９】
2020074346.tif 000011
【図１０】
2020074346.tif 000012
【図１１】
2020074346.tif 000013
【図１２】
2020074346.tif 000014
【図１３】
2020074346.tif 000015
【図１４】
2020074346.tif 000016
【図１５】
2020074346.tif 000017
【図１６】
2020074346.tif 000018
【図１７】
2020074346.tif 000019
【図１８】
2020074346.tif 000020
【図１９】
2020074346.tif 000021
【図２０】
2020074346.tif 000022
【図２１】
2020074346.tif 000023
【図２２】
2020074346.tif 000024
【図２３】
2020074346.tif 000025
【図２４】
2020074346.tif 000026
【図２５】
2020074346.tif 000027
【図２６】
2020074346.tif 000028
【図２７】
2020074346.tif 000029
【図２８】
2020074346.tif 000030